(57)【要約】【課題】より高い偽造防止効果を達成すること。【解決手段】本発明の偽造防止媒体１０は、一方の主面にレリーフ型の回折格子が形成された回折格子形成層２と、ヘリカルピッチが互いに異なりかつ回折格子形成層２と向き合った複数のコレステリック液晶層４および５とを含んだことを特徴とする。【選択図】      図２
2008309898.tif 000002
【特許請求の範囲】
【請求項１】
一方の主面にレリーフ型の回折格子が形成された回折格子形成層と、ヘリカルピッチが互いに異なりかつ前記回折格子形成層と向き合った複数のコレステリック液晶層とを含んだことを特徴とする偽造防止媒体。
【請求項２】
前記主面を被覆した光反射性の回折格子効果層をさらに含んだことを特徴とする請求項１記載の偽造防止媒体。
【請求項３】
前記回折格子効果層は、前記主面の一部のみを被覆したことを特徴とする請求項２記載の偽造防止媒体。
【請求項４】
前記主面の一部の領域のみを被覆した回折格子効果層をさらに含み、
前記複数のコレステリック液晶層の少なくとも１つは、前記主面の他の領域と向き合っていることを特徴とする請求項１の偽造防止媒体。
【請求項５】
前記複数のコレステリック液晶層の少なくとも２つは互いに向き合っていることを特徴とする請求項１から４のいずれか１項記載の偽造防止媒体。
【請求項６】
前記複数のコレステリック液晶層の少なくとも１つと前記回折格子形成層との間に介在し、前記回折格子形成層の一部のみと向き合った光吸収層をさらに含んだことを特徴とする請求項１から４のいずれか１項記載の偽造防止媒体。
【請求項７】
前記複数のコレステリック液晶層と前記回折格子形成層との積層体と向き合った光吸収層をさらに含んだことを特徴とする請求項１から４のいずれか１項記載の偽造防止媒体。
【請求項８】
真正であるか否かが未知の物品を検証具を用いて真正品と非真正品との間で判別する方法であって、
前記真正品は、請求項１から７のいずれか１項記載の偽造防止媒体を支持した物品であって、前記複数のコレステリック液晶層の少なくとも２つは前記回折格子形成層の異なる領域と向き合っており、
前記検証具は円偏光子であり、
前記検証具を照明して前記真正であるか否かが未知の物品に円偏光を照射したときに前記真正であるか否かが未知の物品からの反射光のうち前記検証具を透過する光が表示する画像と、前記真正であるか否かが未知の物品に自然光を照射したときに前記真正であるか否かが未知の物品からの反射光が表示する画像とで、コントラスト比が異なる複数の領域を、前記真正であるか否かが未知の物品が含んでいない場合には、前記真正であるか未知の物品は非真正品であると判断することを特徴とする判別方法。
【発明の詳細な説明】
【技術分野】
【０００１】
本発明は、商品券などの有価証券、クレジットカード、およびブランド品や機器部品の偽造を防止するために利用可能な偽造防止技術に関する。
【背景技術】
【０００２】
近年、光の干渉を用いて立体画像や特殊な装飾画像を表現することができるホログラムなどの回折格子や光学特性が異なる複数の薄膜を重ねた多層薄膜などのＯＶＤ（optical variable device）が偽造防止手段として利用されるようになってきた。ＯＶＤは、ＤＯＶＩＤ（diffractive optical variable imaging device）とも呼ばれており、その特徴の１つに見る角度に応じた色相の変化（カラーシフト）がある。
【０００３】
これらＯＶＤは、高度の製造技術を要すること、独特な視覚効果を有し、一瞥で真偽判定が可能であることなどから、クレジットカード、有価証券または証明書などの偽造防止手段として利用されている。最近では、これら以外にも、ＯＶＤは、スポーツ用品、コンピュータ部品をはじめとする電子または電気製品、ソフトウェアが記録された記録媒体などに貼り付けて、その商品が真正品であることを証明する認証シールや、それら商品のパッケージに貼り付けられる封印シールでも広く使われるようになってきた。
【０００４】
このようなＯＶＤの特徴は偽造防止手段としての利用に有利であるが、あるＯＶＤが表示する画像と類似の画像は、市販のＯＶＤを利用して再現することができる。そのため、ＯＶＤの偽造防止効果は、必ずしも高いということはできない。
【０００５】
このような問題に対し、ヘリカル構造が異なる複数のコレステリック液晶層を組み合わせることが提案されている。例えば、特許文献１には、選択反射波長が異なる複数のコレステリック液晶層を並べたまたは積層した偽造防止媒体が記載されている。また、特許文献２には、左回りのヘリカル構造を有するコレステリック液晶層と右回りのヘリカル構造を有するコレステリック液晶層とを並べた偽造防止媒体が記載されている。
【０００６】
これら偽造防止媒体は、円偏光子を用いた場合には、偽造品から容易に判別することができる。しかしながら、これらを肉眼で観察した場合には、偽造防止効果はコレステリック液晶のカラーシフト効果しかない。そのため、円偏光子を用いた真偽判定の頻度が少ない用途では、偽造防止効果が不十分となる可能性がある。
【特許文献１】特許３６５２４７６号公報
【特許文献２】特開２０００−１０７１号公報
【発明の開示】
【発明が解決しようとする課題】
【０００７】
本発明は、より高い偽造防止効果を達成することにある。
【課題を解決するための手段】
【０００８】
上記課題を解決するための第１の発明は、一方の主面にレリーフ型の回折格子が形成された回折格子形成層と、ヘリカルピッチが互いに異なりかつ回折格子形成層と向き合った複数のコレステリック液晶層とを含んだことを特徴とする偽造防止媒体である。
【０００９】
また、第２の発明は、主面を被覆した光反射性の回折格子効果層をさらに含んだことを特徴とする第１の発明の偽造防止媒体である。
【００１０】
また、第３の発明は、回折格子効果層は、主面の一部のみを被覆したことを特徴とする第２の発明の偽造防止媒体である。
【００１１】
また、第４の発明は、主面の一部の領域のみを被覆した回折格子効果層をさらに含み、複数のコレステリック液晶層の少なくとも１つは、主面の他の領域と向き合っていることを特徴とする第１の発明の偽造防止媒体である。
【００１２】
また、第５の発明は、複数のコレステリック液晶層の少なくとも２つは互いに向き合っていることを特徴とする第１から第４の発明のいずれか１つの偽造防止媒体である。
【００１３】
また、第６の発明は、複数のコレステリック液晶層の少なくとも１つと回折格子形成層との間に介在し、回折格子形成層の一部のみと向き合った光吸収層をさらに含んだことを特徴とする第１から第４の発明のいずれか１つの偽造防止媒体である。
【００１４】
また、第７の発明は、複数のコレステリック液晶層と回折格子形成層との積層体と向き合った光吸収層をさらに含んだことを特徴とする第１から第４の発明のいずれか１つの偽造防止媒体である。
【００１５】
また、第８の発明は、真正であるか否かが未知の物品を検証具を用いて真正品と非真正品との間で判別する方法であって、真正品は、第１から第７の発明のいずれか１つの偽造防止媒体を支持した物品であって、複数のコレステリック液晶層の少なくとも２つは前記回折格子形成層の異なる領域と向き合っており、検証具は円偏光子であり、検証具を照明して真正であるか否かが未知の物品に円偏光を照射したときに真正であるか否かが未知の物品からの反射光のうち検証具を透過する光が表示する画像と、真正であるか否かが未知の物品に自然光を照射したときに真正であるか否かが未知の物品からの反射光が表示する画像とで、コントラスト比が異なる複数の領域を、真正であるか否かが未知の物品が含んでいない場合には、真正であるか未知の物品は非真正品であると判断することを特徴とする判別方法である。
【発明の効果】
【００１６】
本発明によれば、より高い偽造防止効果を達成することができる。
【発明を実施するための最良の形態】
【００１７】
以下、本発明の実施形態について、図面を参照しながら詳細に説明する。なお、各図において、同様または類似した機能を発揮する構成要素には同一の参照符号を付し、重複する記載は省略する。
【００１８】
図１は、本発明の第１実施形態の偽造防止媒体を概略的に示す平面図である。図２は、図１に示す偽造防止媒体のＩＩ−ＩＩ線に沿った断面図である。この偽造防止媒体１０は、真正品であることが確認されるべき物品に支持させる。
【００１９】
この偽造防止媒体１０は、図２に示す基材１を含んでいる。基材１は、透明性が高く、コーティングや蒸着加工などの加工に耐え得る素材を含んだ材料からなる。基材１の材料としては、例えば、ポリエチレンテレフタレート（ＰＥＴ）、ポリエチレンナフタレート（ＰＥＮ）、トリアセチルセルロース（ＴＡＣ）、ポリカーボネート（ＰＣ）などの高分子材料を使用することができる。
【００２０】
基材１の一方の主面上には、回折格子形成層２が全体にわたって形成されている。回折格子形成層２には、ホログラムなどのレリーフ型の回折格子が形成されている。回折格子は、光の干渉を利用して、例えば、立体画像、カラーシフトを生じる像、独特の光輝感を有する像を表示することができる。
【００２１】
回折格子形成層２は、例えば、基材１の一方の主面上に熱可塑性樹脂層を形成し、この熱可塑性樹脂層に、微細な凹凸を有する原版を加熱しながら押し当てることにより得られる。あるいは、回折格子形成層２は、基材１の一方の主面上に熱硬化性または光硬化性樹脂を含有した塗膜を形成し、この塗膜を基材１と原版とで挟持し、この状態で樹脂を熱または光硬化させることにより得られる。
【００２２】
回折格子形成層２上には、回折格子効果層３が形成されている。回折格子効果層３は、回折格子の回折効率を高める役割を果たす。回折格子効果層３の材料としては、例えば、反射率の高いＡｌ、Ｓｎ、Ｃｒ、Ｎｉ、Ｃｕ、Ａｕなどの金属材料や、ＴｉＯ２のような高屈折率の金属酸化物を用いることができるが、光反射性が得られれば特に限定されない。回折格子効果層３は、例えば、回折格子効果層３が金属反射層である場合には、蒸着によって形成することができる。
【００２３】
基材１の回折格子形成層２が形成された面と反対側の主面上には、複数，ここでは２つ，のコレステリック液晶層４および５が、光吸収層６を介して形成されている。この偽造防止媒体１０において、コレステリック液晶層４は「Ｔ」の像を形成し、コレステリック液晶層５は「Ｐ」の像を形成している。
【００２４】
ここで、コレステリック液晶について説明する。  
コレステリック液晶は、複数の分子層からなる。コレステリック液晶の分子の配向方向は、各々の分子層においては一定であるが、隣り合う分子層間でわずかに異なっている。このようにして、コレステリック液晶において、液晶分子は、右まわりまたは左まわりのヘリカル構造を形成している。
【００２５】
コレステリック液晶は、そのヘリカルピッチに対応した波長の光を反射する性質を持つ。この性質は選択反射性と呼ばれている。そして、白色光のもとで視点位置を変えてコレステリック液晶を観察すると、見かけ上のヘリカルピッチが変化するため、美しいカラーシフトが生じる。
【００２６】
また、コレステリック液晶は、そのヘリカル構造の捩じれ方向と同じ方向に回転する偏光面を有する円偏光を、偏光面の捩じれ方向を維持したまま反射し、偏光面の回転方向が逆向きの円偏光を透過させる。この性質は、円偏光選択性と呼ばれている。
【００２７】
すなわち、コレステリック液晶は、そのヘリカルピッチに対応した波長の右円偏光又は左円偏光に対して最大の反射率を示す。そして、この反射率は、円偏光の波長がヘリカルピッチに対応した波長からずれるのに応じて小さくなる。
【００２８】
この偽造防止媒体１０では、コレステリック液晶層４が含んだ分子は、捩じれ方向が右回りであり、ピッチが２８０ｎｍ，緑色の色相に対応，のヘリカル構造を形成している。そして、コレステリック液晶層５が含んだ分子は、捩じれ方向が右回りであり、ピッチが約３６０ｎｍ，赤色の色相に対応，のヘリカル構造を形成している。ちなみに、プレーナーの選択反射の式によると、２Ｐ・ｓｉｎθ＝ｎλ（ここで、Ｐ：コレステリック液晶のヘリカルピッチ、λ：反射光の波長、θ：光の入射角度）となり、コレステリック液晶に対して垂直に白色光が入射した場合、コレステリック液晶のヘリカルピッチの２倍の波長の光が垂直に反射される。
【００２９】
コレステリック液晶層４および５は、コレステリック構造を有する化合物を含んだ材料、またはネマチック液晶にカイラル剤を添加してコレステリック構造をもたせたものを含んだ材料から製造することができる。コレステリック液晶は、例えば、ネマチック液晶に添加するカイラル剤の量や種類を変化させることで、ヘリカルピッチや偏光面の捩じれ方向を変えることができる。液晶分子の両末端に、例えば、アクリル基のような重合基を導入することもできる。そのような液晶材料は、液晶分子の配向を完了させた後、その配向を固定することができ、有用である。コレステリック液晶層４および５の形成方法は後述する。
【００３０】
光吸収層６は、基材１とコレステリック液晶層４および５との間に介在している。光吸収層６は、コレステリック液晶層４および５の選択反射による視覚効果を高める役割を果たす。すなわち、光吸収層６は、コレステリック液晶層４または５を透過した光が基材１上で反射・散乱し、コレステリック液晶が選択反射した光に混ざりあうことを、その光を吸収することによって防ぐ働きを持つ。
【００３１】
光吸収層６の材料としては、光を透過し難くかつ吸収しやすい材料，例えば、黒色インクまたは黒色に近い色のインク，を用いることができる。また、偽造防止媒体１０のデザインや視認性を考慮して、赤色などの色相を呈する材料を使用することもできる。
【００３２】
光吸収層６は、例えば、基材１の回折格子形成層２が形成された面と反対側の主面上の所定の位置に上述の材料を印刷することで形成される。
【００３３】
コレステリック液晶層４および５は、例えば、以下のように形成する。まず、液晶材料を有機溶剤に溶解させた塗工液を光吸収層６上に塗布する。次に、その塗膜を乾燥し、液晶分子を配向させた後、紫外線照射を行って固定化して、コレステリック液晶層４または５を得ることができる。
【００３４】
以下、この偽造防止媒体１０のうち、コレステリック液晶層４およびこれと向き合った部分からなる領域を第１光反射領域１１と呼び、コレステリック液晶層５およびこれと向き合った部分からなる領域を第１光反射領域１２と呼び、さらにその他の部分を第３光反射領域１３と呼ぶ。
【００３５】
次に、偽造防止媒体１０に自然光を照射して、これを肉眼で観察した場合に見える画像について説明する。
【００３６】
まず、第１光反射領域１１による光反射について説明する。なお、ここでは、一例として、以下、偽造防止媒体１０を略垂直方向から照射し、その各領域を略垂直方向から観察した場合を説明する。
【００３７】
コレステリック液晶層４は、照射された自然光のうち、ヘリカルピッチに対応した波長の右円偏光，すなわち、緑色の右円偏光，を反射する。一方、コレステリック液晶層４を透過した光は、光吸収層６によって吸収される。したがって、第１光反射領域１１は、コレステリック液晶の選択反射に起因した視覚効果を有する緑色の画像を表示する。
【００３８】
次に、第２光反射領域１２による光反射について説明する。
【００３９】
コレステリック液晶層５は、照射された自然光のうち、ヘリカルピッチに対応した波長の右円偏光，すなわち、赤色の右円偏光，を反射する。一方、コレステリック液晶層５を透過した光は、光吸収層６によって吸収される。したがって、第２光反射領域１２は、コレステリック液晶の選択反射に起因した視覚効果を有する赤色の画像を表示する。
【００４０】
次に、第３光反射領域１３による光反射について説明する。
【００４１】
基材１に入射した自然光は、基材１を透過する。この透過光は、回折格子形成層２に入射する。
【００４２】
回折格子形成層２に入射した光は、回折格子形成層２と回折格子効果層３との界面で反射される。この界面には回折格子が設けられているので、先の反射光の少なくとも一部は回折光である。この回折光を含んだ反射光は、回折格子形成層２および基材１を透過する。観察者は、この透過光を見ることで、回折格子の視覚効果を知覚する。したがって、第３光反射領域１３は、回折格子の視覚効果を有する画像を表示する。
【００４３】
このように、第１光反射領域１１と第２光反射領域１２と第３光反射領域１３とは、異なる視覚効果を有する画像を表示する。つまり、偽造防止媒体１０を肉眼で観察した場合、これら領域１１〜１３の各々は、別の領域からの判別が可能な可視像を形成している。なお、第１光反射領域１１および第２光反射領域１２では、自然光のうちヘリカルピッチに対応した波長の右円偏光のみが反射され、それ以外の光成分は光吸収層６によって吸収される。したがって、第３光反射領域１３は、これら領域より明度がより高い画像を表示する。
【００４４】
次に、この偽造防止媒体１０を支持した物品が真正品であることを確認するためなどに用いる検証具について説明する。
【００４５】
ここで用いる検証具は、直線偏光フィルムと、λ／４位相差層とを含んでいる。
【００４６】
直線偏光フィルムは、例えば、吸収型の偏光フィルムである。この場合、直線偏光フィルムは、その透過軸と平行な偏光面を持つ直線偏光は透過させ、透過軸と直交する偏光面を持つ直線偏光を吸収する。
【００４７】
吸収型の偏光フィルムとしては、例えば、ＰＶＡからなる延伸フィルムにヨードを吸収させたＰＶＡ−ヨウ素型フィルムまたは二色性染料型フィルムを用いることができる。これら偏光フィルムは、物理的強度が低いため、トリアセチルロース（ＴＡＣ）からなるフィルムで挟んで使用してもよい。
【００４８】
λ／４位相差層は、直線偏光フィルムの一方の主面と向き合っている。λ／４位相差層の進相軸は、直線偏光フィルム側からλ／４位相差層を見た場合に、直線偏光フィルムの透過軸に平行な方向から時計回りに４５°回転させた方向である。この検証具は右円偏光子として機能する。
【００４９】
波長λは、設計波長である。設計波長λは、ここでは、コレステリック液晶４のヘリカルピッチに対応した５６０ｎｍである。
【００５０】
次に、この検証具を用いて、偽造防止媒体１０を支持した物品が真正品であることを検証する方法を説明する。
【００５１】
図３は、図１および図２に示す偽造防止媒体１０と上で説明した検証具とを重ねた場合に観察可能な画像の一例を概略的に示す平面図である。
【００５２】
図３では、偽造防止媒体１０と検証具５０とを、検証具５０のλ／４位相差層が光反射領域１１、１２および１３と向き合うように配置している。この場合、図３に示すように、第１光反射領域１１は明部として見え、第２光反射領域１２は第１光反射領域１１と比較して暗く見える。また、第３光反射領域１３は、第１光反射領域１１と比べて暗く見える。この理由を、以下に説明する。
【００５３】
検証具５０の直線偏光フィルムに自然光を照射すると、検証具５０は、光反射領域１１、１２および１３に向けて、検証具５０の設計波長λと同じ波長の右円偏光と、これとは異なる波長の右楕円偏光とを含んだ光を射出する。
【００５４】
まず、第１光反射領域１１による光反射について説明する。
【００５５】
図２に示すコレステリック液晶層４は、検証具５０が射出した光のうち、波長が検証具５０の設計波長λと等しい右円偏光を選択反射する。コレステリック液晶層４が反射した右円偏光は、検証具５０のλ／４位相差層に入射する。λ／４位相差層は、この右円偏光を直線偏光へと変換する。この直線偏光の偏光面は、直線偏光フィルムの透過軸と平行である。したがって、コレステリック液晶層４が反射した光は、検証具５０を透過する。
【００５６】
一方、検証具５０が射出した光のうち、設計波長λとは異なる波長の光成分は、コレステリック液晶層４を透過する。この透過光は、光吸収層６で吸収される。
【００５７】
以上の理由から、検証具５０を介して偽造防止媒体１０の第１光反射領域１１を観察した場合、観察者は、緑色の色相の光を知覚する。第１光反射領域１１の画像の明度は、肉眼で観察した場合と検証具５０を介して観察した場合との間で、大きな変化はない。
【００５８】
次に、第２光反射領域１２による光反射について説明する。
【００５９】
コレステリック液晶層５は、検証具５０が射出した光のうち、波長がコレステリック液晶層５のヘリカルピッチに対応した右円偏光を選択反射する。検証具５０のλ／４位相差層は、コレステリック液晶層５が反射した右円偏光を右楕円偏光に変換する。この右楕円偏光のうち、直線偏光フィルムの透過軸ＯＰと平行な偏光面を持つ光成分のみが検証具５０の直線偏光フィルムを透過する。
【００６０】
一方、検証具５０が射出した光のうち、残りの光成分は、コレステリック液晶層５を透過し、光吸収層６によって吸収される。
【００６１】
以上の理由から、検証具５０を介して偽造防止媒体１０の第２光反射領域１２を観察した場合、観察者は、赤色の色相の光を知覚する。コレステリック液晶層５に照射される光のうち、そのヘリカルピッチに対応した波長の光成分の一部は、光吸収層６に吸収される。そして、コレステリック液晶層５が選択反射した光の一部も、検証具５０の直線偏光フィルムに吸収される。それゆえ、検証具５０を介して観察した場合に表示される第２光反射領域１２の画像の明度は、肉眼で観察した場合と比べて、より低くなる。
【００６２】
次に、第３光反射領域１３による光反射ついて説明する。
【００６３】
まず、第３光反射領域１３に照射される光のうち、検証具５０の設計波長λと等しい波長の光について説明する。基材１および回折格子形成層２を透過した右円偏光は、回折格子形成層２と回折格子効果層３との界面で反射され、左円偏光に変換される。この界面には回折格子が設けられているので、先の反射光の少なくとも一部は回折光である。先の界面で反射された光は、回折格子形成層２および基材１を透過する。検証具５０のλ／４位相差層は、この透過光としての左円偏光を、設計波長λと等しい波長の光を直線偏光フィルムの透過軸ＯＰと直交する偏光面を持つ直線偏光に変換する。この直線偏光は検証具５０の直線偏光フィルムを透過できない。
【００６４】
次に、第３光反射領域１３に照射される光のうち、設計波長λとは異なる波長の光について説明する。基材１および回折格子形成層２を透過した右円偏光は、回折格子形成層２と回折格子効果層３との界面で反射され、左円偏光へと変換される。この反射光の少なくとも一部は回折光である。先の界面で反射された光は、回折格子形成層２および基材１を透過する。検証具５０のλ／４位相差層は、この透過光の各光成分を、偏光面が直線偏光フィルムの透過軸ＯＰと直交する直線偏光、左円偏光または左楕円偏光に変換する。これらのうち、直線偏光フィルムは、その透過軸ＯＰと平行な偏光面を持つ直線偏光成分のみを透過させる。
【００６５】
以上の理由から、検証具５０を介して偽造防止媒体１０の第３光反射領域１３を観察した場合、観察者は、回折格子の視覚効果を知覚することができる。なお、設計波長λとは異なる波長の光の一部が検証具５０の直線偏光フィルムに吸収されるので、検証具５０を介して観察した第３光反射領域１３の画像が有する回折格子の視覚効果は、肉眼で観察した画像と比べて、より小さい。また、観察者は、検証具５０の設計波長λ，すなわち、５６０ｎｍ，に近い波長の光は極めて少ししか知覚できず、それ以外の波長の光の多くも検証具５０の直線偏光フィルムによって吸収される。したがって、第３光反射領域１３は、第１光反射領域１１および第２光反射領域１２と比べて、より暗く見える。さらに、検証具５０を介して観察した第３光反射領域１３の画像は、肉眼で観察した画像と比べて、明度が極めて低い。
【００６６】
このように、検証具５０を介して偽造防止媒体１０を観察した場合、第１光反射領域１１は明部として見え、第２光反射領域１２は第１光反射領域１１より暗く見える。また、第３光反射領域１３は第１光反射領域１１よりも暗く見える。つまり、検証具５０を使用することにより、光反射領域１１、１２および１３が表示する画像のコントラスト比を変化させることができる。
【００６７】
したがって、このような偽造防止媒体１０を支持させた物品と偽造品などの非真正品とを肉眼で判別できない場合であっても、検証具５０などの偏光子を使用することによりそれらを判別することができる。すなわち、真正であるか否かが未知の物品が、偏光子を介して観察することでコントラスト比が変化する像を含んでいない場合には、その物品は非真正品であると判断できる。
【００６８】
このような表示画像の変化は、偽造防止媒体１０の複写物で再現することはできない。また、偽造防止媒体１０は、コレステリック液晶層４および５による画像と回折格子の視覚効果を有する画像を表示するので、市販のＯＶＤを利用して再現することもできない。また、偽造防止媒体１０の複製は困難である。
【００６９】
次に、本発明の他の実施形態を説明する。
【００７０】
図４は、本発明の第２実施形態の偽造防止媒体を概略的に示す平面図である。図５は、図４に示す偽造防止媒体のＶ−Ｖ線に沿った断面図である。
【００７１】
この偽造防止媒体１０は、光吸収層６を省略したこと以外は、図１および図２を参照しながら説明した偽造防止媒体１０とほぼ同様である。以下、この偽造防止媒体１０のうち、コレステリック液晶層４およびこれと向き合った部分からなる領域を第４光反射領域１４と呼び、コレステリック液晶層５およびこれと向き合った部分からなる領域を第５光反射領域１５と呼び、さらにその他の部分を第３光反射領域１３と呼ぶ。
【００７２】
この偽造防止媒体１０に自然光を照射して、これを肉眼で観察した場合に見える画像について説明する。
【００７３】
まず、第４光反射領域１４による光反射について説明する。
【００７４】
第１実施形態で説明したように、コレステリック液晶層４は、照射された自然光のうち、そのヘリカルピッチに対応した波長の右円偏光，すなわち、緑色の右円偏光，を反射する。
【００７５】
コレステリック液晶層４を透過した光は、基材１を透過し、回折格子形成層２に入射する。この入射光は、回折格子形成層２と回折格子効果層３との界面で反射される。先の界面には回折格子が設けられているので、この反射光の少なくとも一部は回折光である。この回折光を含んだ反射光は、回折格子形成層２および基材１を透過する。
【００７６】
コレステリック液晶層４は、この透過光のうち、そのヘリカルピッチに対応した波長の右円偏光成分を選択反射し、残りの光成分を透過させる。この反射光としての右円偏光は、基材１を透過し、回折格子形成層２に入射する。この右円偏光は、回折格子形成層２と回折格子効果層３との界面で反射され、左円偏光に変換される。この左円偏光は、回折格子形成層２、基材１およびコレステリック液晶層４を透過する。コレステリック液晶層４を透過したこれらの光は、観察者に、回折格子の視覚効果を知覚させる。
【００７７】
以上のように、第４光反射領域１４は、偽造防止媒体１０を略垂直方向から自然光で照明しかつ略垂直方向から観察した場合に、緑色を帯び、コレステリック液晶の視覚効果と回折格子の視覚効果とを有する画像を表示する。
【００７８】
次に、第５光反射領域１５による光反射について説明する。
【００７９】
第５光反射領域１５による光反射は、コレステリック液晶層５の選択反射波長がコレステリック液晶層４と異なること以外は、第４光反射領域１４による光反射と同様である。したがって、第５光反射領域１５は、赤色を帯び、コレステリック液晶の視覚効果と回折格子の視覚効果とを有する画像を表示する。
【００８０】
なお、第３光反射領域１３が表示する画像は、第１実施形態の第３光反射領域１３が表示する画像と同じ視覚効果を有している。
【００８１】
このように、第３光反射領域１３と第４光反射領域１４と第５光反射領域１５とは、それぞれ異なる視覚効果を有している。つまり、偽造防止媒体１０を肉眼で観察した場合、これら領域１３〜１５の各々は、互いからの判別が可能な可視像を形成する。
【００８２】
次に、検証具を介して偽造防止媒体１０を観察した場合に見える画像について説明する。
【００８３】
図６は、図４および図５に示す偽造防止媒体と検証具とを重ねた場合に観察可能な画像の一例を概略的に示す平面図である。
【００８４】
図６では、偽造防止媒体１０と第１実施形態で説明したのと同様の検証具５０とを、検証具５０のλ／４位相差層が光反射領域１３、１４および１５と向き合うように配置している。この場合、図６に示すように、第４光反射領域１４は明部として見え、第５光反射領域１５は第４光反射領域１４と比較して暗く見える。また、第３光反射領域１３は、第４光反射領域１４と比べて暗く見える。この理由を、以下に説明する。
【００８５】
まず、第４光反射領域１４による光反射について説明する。
【００８６】
検証具５０は、偽造防止媒体１０に向けて、波長が設計波長λと等しい右円偏光と、それ以外の波長の右楕円偏光とを射出する。コレステリック液晶層４は、波長λの右円偏光を選択反射し、それ以外の波長の右楕円偏光を透過させる。コレステリック液晶層４が選択反射した右円偏光は、検証具５０のλ／４位相差層によって直線偏光へと変換される。この直線偏光は、検証具５０の直線偏光フィルムを透過する。
【００８７】
コレステリック液晶層４を透過した右楕円偏光は、回折格子形成層２と回折格子効果層３との界面で反射され、左楕円偏光へと変換される。なお、この反射光の少なくとも一部は回折光である。この反射光としての左楕円偏光は、検証具５０のλ／４位相差層によって右楕円偏光へと変換される。直線偏光フィルムは、この右楕円偏光の一部のみを透過させる。観察者は、この透過光を見ることで、回折格子の視覚効果を知覚する。
【００８８】
以上の理由から、検証具５０を介して偽造防止媒体１０の第４光反射領域１４を観察した場合、観察者は、緑色を帯びた画像を知覚する。なお、設計波長λとは異なる波長の光の一部は検証具５０の直線偏光フィルムに吸収されるので、回折格子の視覚効果は、肉眼で観察した画像と比べて、より小さい。
【００８９】
次に、第５光反射領域１５による光反射について説明する。
【００９０】
コレステリック液晶層５は、検証具５０が射出した右円偏光および右楕円偏光のうち、そのヘリカルピッチに対応した波長を有する右円偏光成分を選択反射し、残りの光成分を透過させる。この透過光は、コレステリック液晶層５のヘリカルピッチに対応した波長を有する直線偏光と、設計波長λと等しい波長を有する右円偏光と、それら以外の波長を有する右楕円偏光とを含んでいる。
【００９１】
コレステリック液晶層５が選択反射した光の一部は検証具５０を透過し、残りは検証具５０に吸収される。コレステリック液晶層５を透過した光は、回折格子形成層２と回折格子効果層３との界面で反射される。この反射光の一部は検証具５０を透過し、残りは検証具５０に吸収される。
【００９２】
以上の理由から、検証具５０を介して偽造防止媒体１０の第５光反射領域１５を観察した場合、観察者は、赤色を帯びた画像を知覚する。なお、回折格子形成層２と回折格子効果層３との界面が反射した光の一部は検証具５０の直線偏光フィルムに吸収されるので、回折格子の視覚効果は、肉眼で観察した画像と比べて、より小さい。また、第１実施形態で説明したのと同じ理由により、第５光反射領域１５が表示する画像の明度は、肉眼で観察した場合と比べて、より低くなる。
【００９３】
第３光反射領域１３による光反射は、図３を参照しながら説明したのと同様である。すなわち、検証具５０を介して観察した場合、第３光反射領域１３からは、観察者は、回折格子の視覚効果を知覚できる。また、第３光反射領域１３は、第４光反射領域１４および第５光反射領域１５と比べて、より暗く見える。さらに、検証具５０を介して観察した第３光反射領域１３の画像は、肉眼で観察した画像と比べて、明度が極めて低い。
【００９４】
このように、検証具５０を介して偽造防止媒体１０を観察した場合、第４光反射領域１４は明部として見え、第５光反射領域１５は第４光反射領域１４よりも暗く見える。また、第３光反射領域１３は、第４光反射領域１４よりも暗く見える。つまり、検証具５０を使用することにより、光反射領域１３、１４および１５が表示する画像のコントラスト比を変化させることができる。したがって、この偽造防止媒体１０を用いた場合も、図１および図２を参照しながら説明した偽造防止媒体１０と同様の効果を得ることができる。
【００９５】
次に、本発明のさらに他の実施形態を説明する。
【００９６】
図７は、本発明の第３実施形態の偽造防止媒体を概略的に示す断面図である。
【００９７】
図７の偽造防止媒体１０は、以下の構成を採用した以外は、図１および図２に示す偽造防止媒体１０と同様である。すなわち、この偽造防止媒体では、コレステリック液晶層４および５は、基材１と光吸収層６との間に介在している。コレステリック液晶層４および５は１つの連続膜を形成しており、光吸収層６はこの連続膜の全面を被覆している。そして、回折格子効果層３はパターニングされている。
【００９８】
この偽造防止媒体１０の前面，すなわち、偽造防止媒体１０の画像を表示する面，は、回折格子効果層３側の面である。この偽造防止媒体１０は、回折格子形成層２のうち回折格子効果層３と向き合っておらずかつコレステリック液晶層４と向き合った部分とこれと向き合った部分とからなる領域１１と、回折格子形成層２のうち回折格子効果層３と向き合っておらずかつコレステリック液晶層５と向き合った部分とこれと向き合った部分とからなる領域１２と、その他の領域１３とを含んでいる。
【００９９】
この偽造防止媒体１０に自然光を照射して、これを肉眼で観察した場合、領域１１〜１３は、それぞれ、第１実施形態の光反射領域１１〜１３と同様の視覚効果を持つ画像を表示する。すなわち、領域１１はコレステリック液晶の選択反射に起因した視覚効果を有する緑色の画像を表示し、領域１２はコレステリック液晶の選択反射に起因した視覚効果を有する赤色の画像を表示し、領域１３は回折格子の視覚効果を有する画像を表示する。なお、領域１１および１２が表示する画像は、回折格子の視覚効果をさらに有し得る。
【０１００】
このように、領域１１と領域１２と領域１３とは、異なる視覚効果を有する画像を表示する。つまり、偽造防止媒体１０を肉眼で観察した場合、これら領域１１〜１３の各々は、別の領域からの判別が可能な可視像を形成している。
【０１０１】
次に、検証具を介して偽造防止媒体１０を観察した場合に見える画像について説明する。ここでは、第１実施形態で説明したように偽造防止媒体１０と検証具５０とを配置する。この場合、領域１１〜１３による光反射は、図３を参照しながら説明したのとほぼ同様である。すなわち、領域１１は明部として見え、領域１２は領域１１と比較して暗く見える。また、領域１３は、領域１１と比べて暗く見えるが、回折格子の視覚効果を有する像を表示する。つまり、検証具５０を使用することにより、領域１１、１２および１３が表示する画像のコントラスト比を変化させることができる。したがって、この偽造防止媒体１０を用いた場合も、図１および図２を参照しながら説明した偽造防止媒体１０を用いた場合と同様の効果を得ることができる。
【０１０２】
次に、本発明のさらに他の実施形態を説明する。
【０１０３】
図８は、本発明の第４実施形態の偽造防止媒体を概略的に示す断面図である。
【０１０４】
図８の偽造防止媒体１０は、以下の構成を採用した以外は、図１および図２に示す偽造防止媒体１０と同様である。すなわち、この偽造防止媒体１０では、回折格子効果層３はパターニングされている。コレステリック液晶層４および５は、回折格子形成層２上に、回折格子効果層３と面内方向に隣り合うように並べられている。そして、光吸収層６は、コレステリック液晶層４および５上に形成されている。
【０１０５】
この偽造防止媒体１０の前面は、基材１側の面である。この偽造防止媒体１０は、コレステリック液晶層４およびこれと向き合った部分からなる領域１１と、コレステリック液晶層５およびこれと向き合った部分からなる領域１２と、その他の領域１３とを含んでいる。
【０１０６】
この偽造防止媒体１０に自然光を照射して、これを肉眼で観察した場合、領域１１〜１３は、それぞれ、第１実施形態の光反射領域１１〜１３と同様の視覚効果を持つ画像を表示する。すなわち、領域１１はコレステリック液晶の選択反射に起因した視覚効果を有する緑色の画像を表示し、領域１２はコレステリック液晶の選択反射に起因した視覚効果を有する赤色の画像を表示し、領域１３は回折格子の視覚効果を有する画像を表示する。
【０１０７】
このように、領域１１と領域１２と領域１３とは、異なる視覚効果を有する画像を表示する。つまり、偽造防止媒体１０を肉眼で観察した場合、これら領域１１〜１３の各々は、別の領域からの判別が可能な可視像を形成している。
【０１０８】
次に、検証具を介して偽造防止媒体１０を観察した場合に見える画像について説明する。ここでは、第１実施形態で説明したように偽造防止媒体１０と検証具５０とを配置する。この場合、領域１１〜１３による光反射は、図３を参照しながら説明したのとほぼ同様である。すなわち、領域１１は明部として見え、領域１２は領域１１と比較して暗く見える。また、領域１３は、領域１１と比べて暗く見えるが、回折格子の視覚効果を有する像を表示する。つまり、検証具５０を使用することにより、領域１１、１２および１３が表示する画像のコントラスト比を変化させることができる。したがって、この偽造防止媒体１０を用いた場合も、図１および図２を参照しながら説明した偽造防止媒体１０を用いた場合と同様の効果を得ることができる。
【０１０９】
次に、本発明のさらに他の実施形態を説明する。
【０１１０】
図９は、本発明の第５実施形態の偽造防止媒体を概略的に示す断面図である。
【０１１１】
この偽造防止媒体１０は、以下の構成を採用した以外は、図１および図２に示す偽造防止媒体１０と同様である。すなわち、この偽造防止媒体１０では、回折格子効果層３はパターニングされている。コレステリック液晶層４および５は、基材１と回折格子形成層２との間であって、回折格子効果層３の開口に対応した位置に配置されている。そして、光吸収層６は、回折格子効果層３と回折格子形成層２の回折格子効果層３から露出した部分とを被覆しかつその間隙を埋めるように形成されている。
【０１１２】
この偽造防止媒体１０の前面，すなわち、偽造防止媒体１０の画像を表示する面，は、基材１側の面である。この偽造防止媒体１０は、コレステリック液晶層４およびこれと向き合った部分からなる領域１１と、コレステリック液晶層５およびこれと向き合った部分からなる領域１２と、その他の領域１３とを含んでいる。
【０１１３】
この偽造防止媒体１０に自然光を照射して、これを肉眼で観察した場合、領域１１〜１３は、それぞれ、第１実施形態の光反射領域１１〜１３と同様の視覚効果を持つ画像を表示する。すなわち、領域１１はコレステリック液晶の選択反射に起因した視覚効果を有する緑色の画像を表示し、領域１２はコレステリック液晶の選択反射に起因した視覚効果を有する赤色の画像を表示し、領域１３は回折格子の視覚効果を有する画像を表示する。
【０１１４】
このように、領域１１と領域１２と領域１３とは、異なる視覚効果を有する画像を表示する。つまり、偽造防止媒体１０を肉眼で観察した場合、これら領域１１〜１３の各々は、別の領域からの判別が可能な可視像を形成している。
【０１１５】
次に、検証具を介して偽造防止媒体１０を観察した場合に見える画像について説明する。ここでは、第１実施形態で説明したように偽造防止媒体１０と検証具５０とを配置する。この場合、領域１１〜１３による光反射は、図３を参照しながら説明したのとほぼ同様である。すなわち、領域１１は明部として見え、領域１２は領域１１と比較して暗く見える。また、領域１３は、領域１１と比べて暗く見える。つまり、検証具５０を使用することにより、領域１１、１２および１３が表示する画像のコントラスト比を変化させることができる。したがって、この偽造防止媒体１０を用いた場合も、図１および図２を参照しながら説明した偽造防止媒体１０を用いた場合と同様の効果を得ることができる。
【０１１６】
次に、本発明のさらに他の実施形態を説明する。
【０１１７】
図１０は、本発明の第６実施形態の偽造防止媒体を概略的に示す断面図である。
【０１１８】
図１０の偽造防止媒体１０は、以下の構成を採用した以外は、図１および図２に示す偽造防止媒体１０と同様である。すなわち、この偽造防止媒体１０では、コレステリック液晶層４および５は、１つの連続膜を形成しており、基材１と回折格子形成層２との間に介在している。そして、回折格子効果層３はパターニングされており、光吸収層６は、この回折格子効果層３と回折格子形成層２の回折格子効果層３から露出した部分とを被覆している。
【０１１９】
この偽造防止媒体１０の前面は、基材１側の面である。この偽造防止媒体１０は、回折格子形成層２のうち回折格子効果層３と向き合っておらずかつコレステリック液晶層４と向き合った部分とこれと向き合った部分とからなる領域１１と、回折格子形成層２のうち回折格子効果層３と向き合っておらずかつコレステリック液晶層５と向き合った部分とこれと向き合った部分とからなる領域１２と、回折格子形成層２のうち回折格子効果層３およびコレステリック液晶層４と向き合った部分とこれと向き合った部分とからなる領域１４と、回折格子形成層２のうち回折格子効果層３およびコレステリック液晶層５と向き合った部分とこれと向き合った部分とからなる領域１５とを含んでいる。
【０１２０】
この偽造防止媒体１０に自然光を照射して、これを肉眼で観察した場合、領域１１および１２は、それぞれ、第１実施形態の光反射領域１１および１２と同様の視覚効果を持つ画像を表示する。すなわち、領域１１はコレステリック液晶の選択反射に起因した視覚効果を有する緑色の画像を表示し、領域１２はコレステリック液晶の選択反射に起因した視覚効果を有する赤色の画像を表示する。また、この場合、領域１４は第２実施形態の第４光反射領域１４と同様の視覚効果を持つ画像を表示し、領域１５は第５光反射領域１５と同様の視覚効果を持つ画像を表示する。すなわち、領域１４は、緑色を帯び、コレステリック液晶の視覚効果と回折格子の視覚効果とを有する画像を表示する。領域１５は、赤色を帯び、コレステリック液晶の視覚効果と回折格子の視覚効果とを有する画像を表示する。
【０１２１】
なお、領域１１および領域１２では、自然光のうちヘリカルピッチに対応した波長の右円偏光のみが反射され、それ以外の光成分は光吸収層６によって吸収される。一方、領域１４および領域１５は、ヘリカルピッチと対応しない波長の光成分も反射する。したがって、領域１４および領域１５は、領域１１および領域１２と比べて、より明度の高い画像を表示する。
【０１２２】
このように、領域１１と領域１２と領域１４と領域１５とは、異なる視覚効果を有する画像を表示する。つまり、偽造防止媒体１０を肉眼で観察した場合、これら領域１１、１２、１４および１５の各々は、別の領域からの判別が可能な可視像を形成している。
【０１２３】
次に、検証具を介して偽造防止媒体１０を観察した場合に見える画像について説明する。ここでは、第１実施形態で説明したように偽造防止媒体１０と検証具５０とを配置する。この場合、領域１１および１２による光反射は、図３を参照しながら説明したのと同様であり、領域１４および１５による光反射は、第２実施形態で説明したのと同様である。この場合、領域１４は明度が最も高い明部として見え、領域１２は明度が最も低い暗部として見える。領域１１および領域１５は領域１２と領域１４との間の明度の画像を表示する。領域１１は、領域１５と比べてより明度の高い画像を表示することもあれば、領域１５と比べてより明度の低い画像を表示することもある。
【０１２４】
つまり、検証具５０を使用することにより、領域１１、１２、１４および１５のそれぞれが表示する画像の間のコントラスト比を変化させることができる。したがって、この偽造防止媒体１０を用いた場合も、図１および図２を参照しながら説明した偽造防止媒体１０を用いた場合と同様の効果を得ることができる。
【０１２５】
なお、図７〜図１０の偽造防止媒体１０では、コレステリック液晶層４および５が、基材１の背面側に形成されている。この場合、基材１として、ＴＡＣやＰＣからなる無延伸フィルムを用いることが好ましい。これらの無延伸フィルムは、コレステリック液晶が選択反射した光の円偏光性を損なうことなく透過させる。
【０１２６】
次に、本発明のさらに他の実施形態を説明する。
【０１２７】
図１１は、本発明の第７実施形態の偽造防止媒体を概略的に示す平面図である。図１２は、図１１に示す偽造防止媒体のXII−XII線に沿った断面図である。
【０１２８】
図１１および図１２に示す偽造防止媒体１０は、以下の構成を採用したこと以外は、図４および図５に示す偽造防止媒体１０と同様である。すなわち、この偽造防止媒体１０では、コレステリック液晶層５を省略している。コレステリック液晶層４は、基材１上に、菱形のパターンをなすように形成されている。そして、コレステリック液晶層４上には、コレステリック液晶層７が、「Ｔ」および「Ｐ」のパターンをなすように形成されている。
【０１２９】
偽造防止媒体１０のコレステリック液晶層７が含んだ分子は、捩じれ方向が右回りであり、ピッチが約５５０ｎｍのヘリカル構造を形成している。このヘリカルピッチは、赤外領域の波長に対応している。なお、ヘリカルピッチは、約４００ｎｍ以上であれば、赤外領域に対応する。
【０１３０】
この偽造防止媒体１０の前面は、コレステリック液晶層７側の面である。この偽造防止媒体１０は、コレステリック液晶層７およびこれと向き合った部分からなる第６光反射領域１６と、コレステリック液晶４のうちコレステリック液晶７と向き合っていない部分およびこれと向き合った部分からなる第４光反射領域１４と、その他の部分である第３光反射領域１３とを含んでいる。
【０１３１】
この偽造防止媒体１０を略垂直方向から自然光で照明しかつ略垂直方向から観察した場合に見える画像について説明する。
【０１３２】
まず、第６光反射領域１６による光反射について説明する。
【０１３３】
コレステリック液晶層７は、照射された自然光のうち、そのヘリカルピッチに対応した波長の右円偏光を選択反射する。ただし、この光は、赤外光であるため、肉眼で知覚することはできない。
【０１３４】
照射光の他の光成分は、コレステリック液晶層７を透過する。コレステリック液晶層４はこの透過光のうち、そのヘリカルピッチに対応した波長の右円偏光，すなわち、緑色の右円偏光，を選択反射し、その他の光成分を透過させる。この反射光としての右円偏光は、コレステリック液晶層７を透過する。
【０１３５】
コレステリック液晶層４を透過した光は、基材１を透過し、回折格子形成層２に入射する。この入射光は、回折格子形成層２と回折格子効果層３との界面で反射される。先の界面には回折格子が設けられているので、この界面で反射される光の少なくとも一部は回折光である。この回折光を含んだ反射光は、回折格子形成層２および基材１を透過する。
【０１３６】
コレステリック液晶層４は、この透過光のうち、そのヘリカルピッチに対応した波長の右円偏光を選択反射し、残りの光成分を透過させる。この反射光としての右円偏光は、基材１を透過し、回折格子形成層２に入射する。この右円偏光は、回折格子形成層２と回折格子効果層３との界面で反射され、左円偏光に変換される。この左円偏光は、回折格子形成層２、基材１およびコレステリック液晶層４を透過する。これらの透過光はコレステリック液晶層７に入射する。この入射光の可視光成分は、コレステリック液晶層７を透過する。コレステリック液晶層７を透過したこれらの光は、観察者に、回折格子の視覚効果を知覚させる。
【０１３７】
以上のように、第６光反射領域１６は、偽造防止媒体１０を略垂直方向から自然光で照明しかつ略垂直方向から観察した場合に、緑色を帯び、コレステリック液晶の視覚効果と回折格子の視覚効果とを有する画像を表示する。
【０１３８】
第４光反射領域１４が表示する画像は、第２実施形態で説明したのと同様である。すなわち、第４光反射領域１４は、偽造防止媒体１０を略垂直方向から自然光で照明しかつ略垂直方向から観察した場合に、緑色を帯び、コレステリック液晶の視覚効果と回折格子の視覚効果とを有する画像を表示する。
【０１３９】
第３光反射領域１３が表示する画像は、第１実施形態の第３光反射領域１３が表示する画像と同じ視覚効果を有する。すなわち、第３光反射領域１３は、偽造防止媒体１０を略垂直方向から自然光で照明しかつ略垂直方向から観察した場合に、回折格子の視覚効果を有する画像を表示する。
【０１４０】
このように、第６光反射領域１６と第４光反射領域１４とは、同様の視覚効果を有する画像を表示する。つまり、偽造防止媒体１０を略垂直方向から自然光で照明しかつ略垂直方向から観察した場合、これら領域１６および１４は、互いからの判別が困難な潜像を形成している。また、これら領域１６および１４と領域１３とは、異なる視覚効果を有する画像を表示する。つまり、偽造防止媒体１０を略垂直方向から自然光で照明しかつ略垂直方向から観察した場合、これらは互いからの判別が可能な可視像を形成している。なお、第３光反射領域１３は、第６光反射領域１６および第４光反射領域１４が表示する画像と比べて、より高い明度の画像を表示する。
【０１４１】
次に、偽造防止媒体１０を約３０°傾けた角度から自然光で照明しかつ略垂直方向から観察した場合に見える画像について説明する。
【０１４２】
まず、第６反射領域１６による反射について説明する。
【０１４３】
上記のように観察条件を変化させると、コレステリック液晶層７の選択反射波長は、赤外波長領域から短波長側にシフトして、赤色の色相に対応する波長へと変化する。また、コレステリック液晶層４の選択反射波長は、コレステリック液晶層７と同様に、短波長側にシフトして、青色の色相に対応する波長へと変化する。つまり、コレステリック液晶層７は赤色の色相の右円偏光を選択反射し、コレステリック液晶層４は、青色の色相の右円偏光を選択反射する。この反射光としての右円偏光は、コレステリック液晶層７を透過する。
【０１４４】
コレステリック液晶層７および４を透過した光は、基材１を透過し、回折格子形成層２に入射する。この入射光は、回折格子形成層２と回折格子効果層３との界面で反射される。先の界面には回折格子が設けられているので、この界面で反射される光の少なくとも一部は回折光である。この回折光を含んだ反射光は、回折格子形成層２および基材１を透過する。
【０１４５】
コレステリック液晶層４は、この透過光のうち、先の青色の色相に対応する波長の右円偏光成分を反射し、残りの光成分を透過させる。この反射光としての右円偏光は、基材１を透過し、回折格子形成層２に入射する。この右円偏光は、回折格子形成層２と回折格子効果層３との界面で反射され、左円偏光に変換される。この左円偏光は、回折格子形成層２、基材１およびコレステリック液晶層４を透過する。これらの透過光はコレステリック液晶層７に入射する。この入射光の可視光成分は、コレステリック液晶層７を透過する。この透過光は、観察者に、回折格子の視覚効果を知覚させる。
【０１４６】
したがって、第６光反射領域１６は、赤色と青色との加法混色により生じる色を帯び、コレステリック液晶による視覚効果と回折格子の視覚効果とを有する画像を表示する。
【０１４７】
次に、第４光反射領域１４による光反射について説明する。
【０１４８】
上で説明したように、コレステリック液晶層４は、青色の色相の右円偏光を選択反射し、残りの光成分を透過させる。
【０１４９】
コレステリック液晶層４を透過した光は、基材１を透過し、回折格子形成層２に入射する。この入射光は、回折格子形成層２と回折格子効果層３との界面で反射される。先の界面には回折格子が設けられているので、この反射光の少なくとも一部は回折光である。この回折光を含んだ反射光は、回折格子形成層２および基材１を透過する。
【０１５０】
コレステリック液晶層４は、この透過光のうち、そのヘリカルピッチに対応した波長の右円偏光成分を反射し、残りの光成分を透過させる。この反射光としての右円偏光は、基材１を透過し、回折格子形成層２に入射する。この右円偏光は、回折格子形成層２と回折格子効果層３との界面で反射され、左円偏光に変換される。この左円偏光は、回折格子形成層２、基材１およびコレステリック液晶層４を透過する。コレステリック液晶層４を透過したこれらの光は、観察者に、回折格子の視覚効果を知覚させる。
【０１５１】
したがって、第４光反射領域１４は、青色を帯び、コレステリック液晶の視覚効果と回折格子の視覚効果とを有する画像を表示する。
【０１５２】
第３光反射領域１３は、略垂直方向から偽造防止媒体１０を照明および観察した場合と同様に、回折格子の視覚効果を有する画像を表示する。
【０１５３】
このように、偽造防止媒体１０を傾けて観察すると、第６光反射領域１６と第４光反射領域１４と第３光反射領域１３とは、異なる視覚効果を有する画像を表示する。つまり、偽造防止媒体１０を傾けることにより、第６光反射領域１６と第４光反射領域１４とが形成している潜像を可視化させることができる。
【０１５４】
次に、偽造防止媒体１０を略垂直方向から自然光で照明しかつ略垂直方向から検証具を介して観察した場合に見える画像について説明する。ここでは、第１実施形態で説明したように偽造防止媒体１０と検証具５０とを配置する。
【０１５５】
まず、第６光反射領域１６による光反射について説明する。
【０１５６】
検証具５０は、偽造防止媒１０に向けて、波長が設計波長λに対応した右円偏光と、それ以外の波長の右楕円偏光とを射出する。コレステリック液晶層７は、可視光成分を透過させる。
【０１５７】
コレステリック液晶層４はこの透過光のうち、そのヘリカルピッチに対応した波長の右円偏光，すなわち、緑色の右円偏光，を選択反射し、その他の光成分を透過させる。この反射光としての右円偏光は、コレステリック液晶層７を透過する。この右円偏光は、検証具５０のλ／４位相差層によって直線偏光へと変換される。この直線偏光は、検証具５０の直線偏光フィルムを透過する。
【０１５８】
コレステリック液晶層４を透過した右楕円偏光は、基材１を透過し、回折格子形成層２に入射する。この入射光は、回折格子形成層２と回折格子効果層３との界面で反射され、左楕円偏光に変換される。なお、この反射光の少なくとも一部は回折光である。この反射光としての左楕円偏光は、回折格子形成層２および基材１を透過する。
【０１５９】
コレステリック液晶層４は、この透過光のうち、そのヘリカルピッチに対応した波長の右円偏光成分を選択反射し、残りの光成分を透過させる。この反射光としての右円偏光は、基材１を透過し、回折格子形成層２に入射する。この右円偏光は、回折格子形成層２と回折格子効果層３との界面で反射され、左円偏光に変換される。この左円偏光は、回折格子形成層２、基材１およびコレステリック液晶層４を透過する。これらの透過光はコレステリック液晶層７に入射する。この入射光の可視光成分は、コレステリック液晶層７を透過する。
【０１６０】
この透過光のうち、設計波長λの右円偏光は、検証具５０のλ／４位相差層によって直線偏光へと変換される。この直線偏光は、検証具５０の直線偏光フィルムを透過する。一方、先の透過光に含まれる左楕円偏光は、検証具５０のλ／４位相差層によって右楕円偏光へと変換される。直線偏光フィルムは、この右楕円偏光の一部のみを透過させる。観察者は、この透過光を見ることで、回折格子の視覚効果を知覚する。
【０１６１】
以上の理由から、検証具５０を介して偽造防止媒体１０の第６光反射領域１６を観察した場合、観察者は、緑色を帯びた画像を知覚する。なお、設計波長λとは異なる波長の光の一部は検証具５０の直線偏光フィルムに吸収されるので、この画像が有している回折格子の視覚効果は、肉眼で観察した画像と比べて、より小さい。
【０１６２】
第４光反射領域１４による光反射は、図６を参照しながら説明したのと同様である。すなわち、検証具５０を介して観察した場合、観察者は、緑色を帯びた画像を知覚する。また、設計波長λとは異なる波長の光の一部は検証具５０の直線偏光フィルムに吸収されるので、この画像が有している回折格子の視覚効果は、肉眼で観察した画像と比べて、より小さい。
【０１６３】
第３光反射領域１３による光反射は、図３を参照しながら説明したのと同様である。すなわち、検証具５０を介して観察した場合、第３光反射領域１３からは、観察者は、回折格子の視覚効果を知覚できる。また、第３光反射領域１３は、第６光反射領域１６および第４光反射領域１４と比べて、より暗く見える。さらに、検証具５０を介して観察した第３光反射領域１３の画像は、肉眼で観察した画像と比べて、明度が極めて低い。
【０１６４】
このように、検証具５０を介して偽造防止媒体１０を観察した場合、第６光反射領域１６と第４光反射領域１４とは、同様の視覚効果を有する画像を表示する。つまり、偽造防止媒体１０を略垂直方向から自然光で照明しかつ略垂直方向から観察した場合、これら領域１６および１４は、検証具５０を使用するか使用しないかにかかわらず、互いからの判別が困難な潜像を形成している。また、第３光反射領域１３は、領域１６および１４よりも暗く見える。つまり、検証具５０を使用することにより、光反射領域１６および１４が表示する画像と光反射領域１３が表示する画像とのコントラスト比を変化させることができる。
【０１６５】
したがって、この偽造防止媒体１０を用いた場合も、図１および図２を参照しながら説明した偽造防止媒体１０と同様の効果を得ることができる。加えて、この偽造防止媒体１０を真正であることが確認されるべき物品に支持させた場合、真正品と偽造品などの非真正品とを肉眼で判別することができる。すなわち、真正であるか否かが未知の物品が、照明方向および／または観察方向を変えることによって可視化する潜像を含んでいない場合には、その物品は非真正品であると判断できる。つまり、この偽造防止媒体１０は、より高い偽造防止効果を有する。
【０１６６】
なお、第７実施形態では、コレステリック液晶層７に選択反射波長が赤外領域の波長から赤色の色相に対応する波長へと変化する設計を採用し、コレステリック液晶層４には選択反射波長が緑色の色相に対応する波長から青色の色相に対応する波長へと変化する設計を採用したが、コレステリック液晶層７および４には他の設計を採用してもよい。例えば、コレステリック液晶層７に選択反射波長が紫外領域の波長から青色の色相に対応する波長へと変化する設計を採用することもできる。
【０１６７】
上述した偽造防止媒体１０には、様々な変形が可能である。
【０１６８】
例えば、これら偽造防止媒体１０は、最前面層として、紫外線や物理衝撃から他の層を保護する光透過性の保護層をさらに含んでいてもよい。例えば、図１１および図１２の偽造防止媒体１０が、光透過性の保護層を含んでいる場合、劣化が生じにくくなるのに加え、第６反射領域１６と第４光反射領域１４との境界の判別がさらに困難になる。
【０１６９】
偽造防止媒体１０の背面には、粘着または接着加工を施してもよい。すなわち、偽造防止媒体１０を用いて、偽造防止ラベルとして使用可能な粘着ラベルを形成してもよい。
【０１７０】
偽造防止媒体１０は、様々な方法で印刷物に適用できる。例えば、上記の粘着ラベルを印刷物に貼り付けてもよい。この場合、基材１に切り込みまたはミシン目を設けておいてもよい。すなわち、ラベルを剥がそうとしたときに、基材１が切り込みからまたはミシン目の位置で破れるような構造を採用してもよい。
【０１７１】
偽造防止媒体１０を含んだ転写箔を用いて偽造防止媒体を印刷物に適用することもできる。この転写箔は、例えば、基材フィルムと、基材フィルム上に形成された剥離層と、その前面が剥離層と接した偽造防止媒体１０と、偽造防止媒体１０の背面に形成された接着層とを含む。剥離層としては、例えば、基材フィルムにシリコーン樹脂などの離型剤を塗布してなる離型剤層や、基材フィルムからの剥離性のよい高分子樹脂層を用いることができる。なお、転写箔の偽造防止媒体１０は、基材１を含んでいなくてもよい。
【０１７２】
偽造防止媒体１０を印刷物に適用する場合、スレッド（ストリップ、フィラメント、糸状物、安全帯片などとも称される）と呼ばれる形態で、紙にすき込んでもよい。もちろん、偽造防止媒体１０は、印刷物以外の物品に適用することもできる。
【実施例】
【０１７３】
以下、本発明の実施例について説明する。
【０１７４】
（実施例１）
本例では、図８に示す偽造防止媒体を以下の方法により製造した。
【０１７５】
まず、厚さ２５μｍの透明ポリエチレンテレフタレート（ＰＥＴ）フィルムを用意した。次に、回折格子形成層を形成すべく、このフィルムの片面に以下の組成の高分子樹脂インキを乾燥膜厚が５μｍとなるように塗布した。
【０１７６】
アクリルポリオール（商品名：ダイヤナール  ＬＲ２０９  三菱レーヨン（株）製）  ２０重量％
イソシアネート硬化剤（商品名：デュラネート  ２４Ａ−１００  旭化成（株）製）  ５重量％
溶剤（５０重量部のメチルエチルケトンと５０重量部のトルエンとの混合液）  ７５重量％
この塗膜を１５０℃で１０秒間の乾燥に供した後、ロールエンボス法を用いて塗膜上にホログラムパターンを形成した。これにより、回折格子形成層を得た。
【０１７７】
次に、回折格子形成層の全面に、真空蒸着法を用いて、厚さが５０μｍのアルミニウム蒸着層を形成した。このアルミニウム蒸着層は、以下の方法によりパターニングした。
【０１７８】
すなわち、まず、回折格子効果層上に、以下の組成のインキを乾燥膜厚が１μｍとなるようにパターン印刷した。
【０１７９】
ポリビニルアルコール（商品名：ポバール  １１７  クラレ（株）製）  １０重量％
溶剤（水）  ９０重量％
この塗膜は、１００℃で２分間の乾燥に供した。これによりマスク層を得た。
【０１８０】
次に、この積層体を５０℃に加熱した１．５ＮのＮａＯＨ溶液中に１０秒間浸して、アルミニウム蒸着層をエッチングした。積層体の表面に残留している液を０．１ＮのＨＣｌ溶液にて中和した後、この積層体を水洗し、１００℃で６０秒間の乾燥に供した。これにより、回折格子効果層として、パターニングされたアルミニウム蒸着層を得た。
【０１８１】
次に、回折格子形成層のアルミニウム蒸着層が形成されていない領域の一部の上に第１液晶層を形成すべく、平台校正機を用いて、以下の組成のインキを硬化膜厚が５μｍとなるようグラビア印刷した。
【０１８２】
光重合性ネマチック液晶（商品名：パリオカラー  ＬＣ２４２  ＢＡＳＦ（株）製）  ３１．７重量％
カイラル剤（商品名：パリオカラー  ＬＣ７５６  ＢＡＳＦ（株）製）  １．７重量％
重合開始剤（商品名：イルガキュア  １８４  チバガイギー（株）製）  ０．５重量％
溶剤（メチルエチルケトン）  ６６．１重量％
続いて、回折格子形成層のアルミニウム蒸着層が形成されていない領域の残りの部分の上に第２コレステリック液晶層を形成すべく、平台校正機を用いて、以下の組成のインキを硬化膜厚が５μｍとなるようグラビア印刷した。
【０１８３】
光重合性ネマチック液晶（商品名：パリオカラー  ＬＣ２４２  ＢＡＳＦ（株）製）  ３２．０重量％
カイラル剤（商品名：パリオカラー  ＬＣ７５６  ＢＡＳＦ（株）製）  １．３重量％
重合開始剤（商品名：イルガキュア  １８４  チバガイギー（株）製）  ０．５重量％
溶剤（メチルエチルケトン）  ６６．２重量％
これら塗膜は、紫外線照射を行って硬化させた。これにより、第１および第２コレステリック液晶層を得た。
【０１８４】
次に、第１および第２コレステリック液晶層上に、印刷用墨インキ（商品名：Ｎｅｗ  ＬＰスーパー  Ｒ９２墨  東洋インキ（株）製）を、硬化膜厚が２μｍとなるように印刷した。
【０１８５】
印刷後、８０℃で３０秒乾燥させた。これにより、光吸収層を得た。以上のようにして、図８に示す偽造防止媒体を製造した。
【０１８６】
次に、回折格子効果層および光吸収層上に、以下の組成の粘着剤インキを、乾燥膜厚３μｍとなるように塗布した。
【０１８７】
アクリル系接着剤（商品名：ＳＫダイン１５０１Ｂ  綜研化学（株）製）  ５０重量％
溶剤（メチルエチルケトン）  ５０重量％
この塗膜を８０℃で６０秒間の乾燥に供した。これにより粘着層を得た。以上のようにして、偽造防止ラベルを製造した。
【０１８８】
この偽造防止ラベルを白色光で照明しながら肉眼で観察した。その結果、第１コレステリック液晶層が形成された領域は緑色を帯びかつコレステリック液晶の視覚効果を有する画像を表示し、第２コレステリック液晶層が形成された領域は赤色を帯びかつコレステリック液晶の視覚効果を有する画像を表示し、それ以外の領域は干渉によるカラーシフトを生じる画像を表示した。
【０１８９】
次に、この偽造防止ラベルと設計波長が５５０ｎｍである右円偏光子とを、右円偏光子のλ／４位相差層が偽造防止ラベルと対向するように重ね合わせ、この状態で右円偏光子に白色光を照射しながら偽造防止媒体を観察した。その結果、第１コレステリック液晶層が形成された領域は右円偏光子を介さないで観察した場合とほぼ同じ明度の画像を表示し、第２コレステリック液晶層が形成された領域は第１コレステリック液晶層が形成された領域よりも暗く見えた。また、その他の領域は、第１コレステリック液晶層が形成された領域よりも暗く見えたが、カラーシフトを生じる画像を表示した。
【０１９０】
（実施例２）
本例では、図１および図２に示す偽造防止媒体を以下の方法により製造した。
【０１９１】
厚さ３８μｍの透明ポリエチレンテレフタレート（ＰＥＴ）フィルムを用意した。次に、回折格子形成層を形成すべく、このフィルムの片面に以下の組成の高分子樹脂インキを乾燥膜厚が２μｍとなるように塗布した。
【０１９２】
アクリルポリオール（商品名：ダイヤナール  ＬＲ２０９  三菱レーヨン（株）製）  ２０重量％
イソシアネート硬化剤（商品名：デュラネート  ２４Ａ−１００  旭化成（株）製）  ５重量％
溶剤（５０重量部のメチルエチルケトンと５０重量部のトルエンとの混合液）  ７５重量％
この塗膜を１５０℃で３０秒間の乾燥に供した後、ロールエンボス法を用いて塗膜上にホログラムパターンを形成した。これにより、回折格子形成層を得た。
【０１９３】
次に、回折格子形成層の全面に、真空蒸着法を用いて、厚さが５０μｍのアルミニウム蒸着層を形成した。
【０１９４】
次に、基材の回折格子形成層が形成された面と反対側の面に、印刷用墨インキ（商品名：Ｎｅｗ  ＬＰスーパー  Ｒ９２墨  東洋インキ（株）製）を、硬化膜厚が２μｍとなるようにパターン印刷した。
【０１９５】
印刷後、この塗膜を硬化させた。これにより、「Ｔ」および「Ｐ」のパターンを形成している光吸収層を得た。
【０１９６】
次に、Ｔ形状の光吸収層上に第１コレステリック液晶層を形成すべく、平台校正機を用いて、以下の組成のインキを硬化膜厚が５μｍとなるようグラビア印刷した。
【０１９７】
光重合性ネマチック液晶（商品名：パリオカラー  ＬＣ２４２  ＢＡＳＦ（株）製）  ３１．７重量％
カイラル剤（商品名：パリオカラー  ＬＣ７５６  ＢＡＳＦ（株）製）  １．７重量％
重合開始剤（商品名：イルガキュア  １８４  チバガイギー（株）製）  ０．５重量％
溶剤（メチルエチルケトン）  ６６．１重量％
続いて、Ｐ形状の光吸収層上に第２コレステリック液晶層を形成すべく、平台校正機を用いて、以下の組成のインキを硬化膜厚が５μｍとなるようグラビア印刷した。
【０１９８】
光重合性ネマチック液晶（商品名：パリオカラー  ＬＣ２４２  ＢＡＳＦ（株）製）  ３２．０重量％
カイラル剤（商品名：パリオカラー  ＬＣ７５６  ＢＡＳＦ（株）製）  １．３重量％
重合開始剤（商品名：イルガキュア  １８４  チバガイギー（株）製）  ０．５重量％
溶剤（メチルエチルケトン）  ６６．２重量％
これら塗膜は、紫外線照射を行って硬化させた。これにより、第１および第２コレステリック液晶層を得た。以上のようにして、図１および図２に示す偽造防止媒体を製造した。
【０１９９】
次に、回折格子効果層および光吸収層上に、以下の組成の粘着剤インキを、乾燥膜厚３μｍとなるように塗布した。
【０２００】
アクリル系接着剤（商品名：ＳＫダイン１５０１Ｂ  綜研化学（株）製）  ５０重量％
溶剤（メチルエチルケトン）  ５０重量％
この塗膜を８０℃で６０秒間の乾燥に供することにより粘着層を得た。以上のようにして、偽造防止ラベルを製造した。
【０２０１】
この偽造防止ラベルを白色光で照明しながら肉眼で観察した。その結果、第１コレステリック液晶層が形成された領域は緑色を帯びかつコレステリック液晶の視覚効果を有する画像を表示し、第２コレステリック液晶層が形成された領域は赤色を帯びかつコレステリック液晶の視覚効果を有する画像を表示し、それ以外の領域は干渉によるカラーシフトを生じる画像を表示した。
【０２０２】
次に、この偽造防止ラベルと設計波長が５５０ｎｍである右円偏光子とを、右円偏光子のλ／４位相差層が偽造防止ラベルと対向するように重ね合わせ、この状態で右円偏光子に白色光を照射しながら偽造防止媒体を観察した。その結果、第１コレステリック液晶層が形成された領域は右円偏光子を介さないで観察した場合とほぼ同じ明度の画像を表示し、第２コレステリック液晶層が形成された領域は第１コレステリック液晶層が形成された領域よりも暗く見えた。また、その他の領域は、第１コレステリック液晶層が形成された領域よりも暗く見えた。
【図面の簡単な説明】
【０２０３】
【図１】本発明の第１実施形態の偽造防止媒体を概略的に示す平面図。
【図２】図１に示す偽造防止媒体のＩＩ−ＩＩ線に沿った断面図。
【図３】図１および図２に示す偽造防止媒体と検証具とを重ねた場合に観察可能な画像の一例を概略的に示す平面図。
【図４】本発明の第２実施形態の偽造防止媒体を概略的に示す平面図。
【図５】図４に示す偽造防止媒体のＶ−Ｖ線に沿った断面図。
【図６】図４および図５に示す偽造防止媒体と検証具とを重ねた場合に観察可能な画像の一例を概略的に示す平面図。
【図７】本発明の第３実施形態の偽造防止媒体を概略的に示す断面図。
【図８】本発明の第４実施形態の偽造防止媒体を概略的に示す断面図。
【図９】本発明の第５実施形態の偽造防止媒体を概略的に示す断面図。
【図１０】本発明の第６実施形態の偽造防止媒体を概略的に示す断面図。
【図１１】本発明の第７実施形態の偽造防止媒体を概略的に示す断面図。
【図１２】図１１に示す偽造防止媒体のＸＩＩ−ＸＩＩ線に沿った断面図。
【符号の説明】
【０２０４】
１…基材、２…回折格子形成層、３…回折格子効果層、４…コレステリック液晶層、５…コレステリック液晶層、６…光吸収層、７…コレステリック液晶層、１０…偽造防止媒体、１１…第１光反射領域、１２…第２光反射領域、１３…第３光反射領域、１４…第４光反射領域、１５…第５光反射領域、１６…第６光反射領域、５０…検証具。
【図１】
2008309898.tif 000003
【図２】
2008309898.tif 000004
【図３】
2008309898.tif 000005
【図４】
2008309898.tif 000006
【図５】
2008309898.tif 000007
【図６】
2008309898.tif 000008
【図７】
2008309898.tif 000009
【図８】
2008309898.tif 000010
【図９】
2008309898.tif 000011
【図１０】
2008309898.tif 000012
【図１１】
2008309898.tif 000013
【図１２】
2008309898.tif 000014